(57)【要約】【課題】波長多重化された光信号の交換を行う光クロスコネクト装置において、配線に掛かる手間が削減され、さらに配線の間違いの可能性を低減する。【解決手段】光クロスコネクト装置は、１入力Ｎ出力の光分波装置とＮ入力１出力の光合波装置とを各々１つずつ搭載したＭ個の光分波・合波モジュールと、Ｍ入力Ｍ出力のマトリックススイッチを１つずつ搭載したＮ個のマトリクススイッチモジュールと、光分波・合波モジュールに搭載されたＭ個の２Ｎ心の多心光コネクタと、マトリクススイッチモジュールに搭載されたＮ個の２Ｍ心の多心光コネクタと、各モジュールに対応する複数の多心光コネクタとモジュール間の配線とを予め組み込んである筐体とを有する。各モジュールの多心光コネクタを、筐体側にあらかじめ設けた各モジュールに対応する複数の多心光コネクタと接続することで各モジュールを筐体内に設置する。【選択図】図１
2008177655.tif 000002
【特許請求の範囲】
【請求項１】
１入力Ｎ出力（Ｎは複数）の光分波装置とＮ入力１出力の光合波装置とを各々１つずつ搭載したＭ個（Ｍは複数）の光分波・合波モジュールと、
Ｍ入力Ｍ出力のマトリックススイッチを１つずつ搭載したＮ個のマトリクススイッチモジュールと、
前記光分波・合波モジュールにそれぞれ搭載されたＭ個の２Ｎ心の多心光コネクタと、
前記マトリクススイッチモジュールにそれぞれ搭載されたＮ個の２Ｍ心の多心光コネクタと、
各前記モジュールに対応する複数の多心光コネクタを備え、かつ前記光分波・合波モジュールと前記マトリクススイッチモジュールの間を接続する光配線を予め組み込んだ１個の装置筐体とを有し、
前記光分波・合波モジュールと前記マトリクススイッチモジュールの多心光コネクタを前記装置筐体側に設けたそれぞれ対応する位置の前記多心光コネクタと接続することで前記光分波・合波モジュールと前記マトリクススイッチモジュールを前記装置筐体内に設置することを特徴とする光クロスコネクト装置。
【請求項２】
請求項１に記載の光クロスコネクト装置において、
全ての前記光分波・合波モジュールが互いに同じ構造であり、
かつ全ての前記マトリクススイッチモジュールが互いに同じ構造である
ことを特徴とする光クロスコネクト装置。
【発明の詳細な説明】
【技術分野】
【０００１】
本発明は、波長多重化された光信号の交換を行う光クロスコネクト装置に関し、特に装置内で必要な光配線をあらかじめ筐体に組み込むことで、配線に掛かる手間を削減し、配線の間違いの可能性を低減した光クロスコネクト装置に関する。
【背景技術】
【０００２】
複数の方路から入力される波長分割多重（ＷＤＭ）された信号を、複数の出力方路に振り分けて出力する機能を有する光クロスコネクト装置として、図３に示したような構成が知られている。図３では、８方路の入出力ポートを有し、８波長のＷＤＭ信号が入力される光クロスコネクト装置１００１を例示する。図３において、１００２−１〜１００２−８は入力側の光ファイバ、１００６−１〜１００６−８は出力側の光ファイバ、１００３−１〜１００３−８は光分波装置、１００４−１〜１００４−８はマトリクススイッチ、および１００５−１〜１００５−８は光合波装置である。
【０００３】
光クロスコネクト装置１００１には、８本の光ファイバ１００２−１〜１００２−８を介して、λ１からλ８まで８波長の信号が多重化された信号が入力される。これら各信号は、光分波装置１００３−１〜１００３−８に入力され、波長毎に異なるファイバに出力される。光分波装置１００３−１〜１００３−８から出力された信号は、波長毎に異なる８入力８出力のマトリクススイッチ１００４−１〜１００４−８に入力される。マトリクススイッチ１００４では、入力された信号をそれぞれ所望の方路に振り分けて出力する。マトリクススイッチ１００４から出力された信号は、方路ごとに８波長の光信号を多重化する光合波装置１００５−１〜１００５−８に入力され、８本の光ファイバ１００６−１〜１００６−８を介してＷＤＭ化された信号として出力される。
【０００４】
このような構成をとることで、光クロスコネクト装置を実現することができる。
【０００５】
【特許文献１】特開２００１−００８２４４号公報
【発明の開示】
【発明が解決しようとする課題】
【０００６】
しかしながら、図３に示したような従来の光クロスコネクト装置では、光分波装置１００３−１〜１００３−８とマトリクススイッチ１００４−１〜１００４−８の間を結ぶ光配線と、マトリクススイッチ１００４−１〜１００４−８と光合波装置１００５−１〜１００５−８の間を結ぶ光配線は、入出力方路数Ｍ（Ｍは任意の複数、上記の例の場合はＭ＝８）、波長分割多重数Ｎ（Ｎは任意の複数、上記の例の場合はＮ＝８）と一般化した場合には、それぞれＭ×Ｎ本が必要である。つまり、光クロスコネクト装置内には２×Ｍ×Ｎ本（前記の例の場合は１２８本）の光配線が存在することになるため、その配線は容易ではない。特に光クロスコネクト装置内の配線は、全ての配線が異なる素子間を繋ぐ配線であることから、平行な配線が存在しないため、配線が複雑になってしまい、配線に掛かる製造や組み立てが容易ではなく、光配線の接続間違い等を生じ安いという点があった。
【０００７】
本発明は、従来の光クロスコネクト装置内の光配線が有する上述したような課題に鑑みてなされたもので、光クロスコネクト装置内の光配線の接続間違い等を低減し、簡便な装置形成を可能にすることを目的とする。
【課題を解決するための手段】
【０００８】
上記目的を達成するため、本発明の光クロスコネクト装置は、１入力Ｎ出力（Ｎは複数）の光分波装置とＮ入力１出力の光合波装置とを各々１つずつ搭載したＭ個（Ｍは複数）の光分波・合波モジュールと、Ｍ入力Ｍ出力のマトリックススイッチを１つずつ搭載したＮ個のマトリクススイッチモジュールと、前記光分波・合波モジュールにそれぞれ搭載されたＭ個の２Ｎ心の多心光コネクタと、前記マトリクススイッチモジュールにそれぞれ搭載されたＮ個の２Ｍ心の多心光コネクタと、各前記モジュールに対応する複数の多心光コネクタを備え、かつ前記光分波・合波モジュールと前記マトリクススイッチモジュールの間を接続する光配線を予め組み込んだ１個の装置筐体とを有し、前記光分波・合波モジュールと前記マトリクススイッチモジュールの多心光コネクタを前記装置筐体側に設けたそれぞれ対応する位置の前記多心光コネクタと接続することで前記光分波・合波モジュールと前記マトリクススイッチモジュールを前記装置筐体内に設置することを特徴とする。
【０００９】
ここで、全ての前記光分波・合波モジュールが互いに同じ構造であり、かつ全ての前記マトリクススイッチモジュールが互いに同じ構造であることは好ましい。
【発明の効果】
【００１０】
上記構成により、本発明によれば、波長多重化された光信号の交換を行う光クロスコネクト装置において、配線に掛かる手間が削減され、さらに配線の間違いの可能性を低減することができる。
【発明を実施するための最良の形態】
【００１１】
以下、図面を参照して本発明の好ましい実施形態を詳細に説明する。
【００１２】
図１は、本発明の一実施形態を説明する図で、本発明の光クロスコネクト装置の構造を示す図である。
【００１３】
本実施形態では、Ｍ方路の入出力ポートを有し、Ｎ波長のＷＤＭ信号が入力される光クロスコネクト装置の中で、特に入出力ポート数が８、入力されるＷＤＭ信号の波長数が８の場合を示すが、これによって入出力ポート数や、ＷＤＭ信号の波長数が制限されるものではない。
【００１４】
図１において、１０１は光クロスコネクト装置の筐体、１０２−１〜１０２−８は光分波・合波モジュール、１０３−１〜１０３−８はマトリクススイッチモジュール、１０４−１〜１０４−１６は光クロスコネクト装置の筐体に設けられた多心光コネクタ、１０５−１〜１０５−１６は上記モジュールに設けられた多心光コネクタ、１０６は光配線である。
【００１５】
光クロスコネクト装置の筐体１０１は、１入力８出力（一般化すれば、１入力Ｎ出力）の光分波装置と８入力１出力（一般化すれば、Ｎ入力１出力）の光合波装置とを各々１つずつ搭載した８個（一般化すれば、Ｍ個）の光分波・合波モジュール１０２−１〜１０２−８と、８入力８出力（一般化すれば、Ｍ入力Ｍ出力）のマトリクススイッチを１つずつ搭載した８個の（一般化すれば、Ｎ個）マトリクススイッチモジュール１０３−１〜１０３−８とを搭載することにより、光クロスコネクト装置の機能を実現するものである。
【００１６】
光クロスコネクト装置の筐体１０１の特徴的な機構として、多心の光ファイバ同士を接続することが可能な多心光コネクタ１０４−１〜１０４−１６を備える。なお、多心光コネクタ１０４−１〜１０４−１６は、８個の光分波・合波モジュール１０２−１〜１０２−８と、８個のマトリクススイッチモジュール１０３−１〜１０３−８とに対して、少なくとも１つずつ設けられるものである。さらに、その多心光コネクタ１０４−１〜１０４−１６は、光分波・合波モジュール１０２−１〜１０２−８、あるいはマトリクススイッチモジュール１０３−１〜１０３−８が接続される側とは反対側の筐体１０１の裏面に、光配線１０６を有する。
【００１７】
ここで、光クロスコネクト装置の筐体１０１は、コンパクトＰＣＩや、アドバンスドＴＣＡなどの標準化された筐体を用い、低コスト化を図ることができる。
【００１８】
一方、光分波・合波モジュール１０２−１〜１０２−８と、マトリクススイッチモジュール１０３−１〜１０３−８は、それぞれ多心光コネクタ１０４−１〜１０４−１６と勘合する多心光コネクタ１０５−１〜１０５−１６を備える。
【００１９】
ここで、多心光コネクタ１０４−１〜１０４−１６および、多心光コネクタ１０５−１〜１０５−１６は、ＦＰＣ（Ｆｉｂｅｒ  Ｐｈｙｓｉｃａｌ  Ｃｏｎｔａｃｔ）コネクタや、ＭＴ（Ｍｅｃｈａｎｉｃａｌｌｙ  Ｔｒａｎｓｆｅｒａｂｌｅ）コネクタ、ＭＰＯコネクタなどの標準化されたコネクタを用い、低コスト化を図ることができる。
【００２０】
光クロスコネクト装置の筐体１０１に、光分波・合波モジュール１０２−１〜１０２−８と、マトリクススイッチモジュール１０３−１〜１０３−８とが全て搭載されたときに実現されるモジュール間の接続関係、及び全体の機能は、従来技術として説明した光クロスコネクト装置と全て同一であるため、説明を省略する。
【００２１】
以下、光分波・合波モジュール１０２−１〜１０２−８と、マトリクススイッチモジュール１０３−１〜１０３−８内の光配線と、筐体１０１側の光配線１０６について、具体例で説明する。ただし、これによって光配線の方式が制限されるものではない。
【００２２】
筐体１０１側の多心光コネクタ１０４−１〜１０４−１６とモジュール側の多心光コネクタ１０５−１〜１０５−１６は、それぞれ１６心（一般化すれば、２Ｎ心または２Ｍ心）の光ファイバを接続可能なコネクタとする。
【００２３】
光分波・合波モジュール１０２−ａ（ａは１〜８のいずれかの整数とする）において、光分波装置（ＤＥＭＵＸ）のｂ番目（ｂは１〜８のいずれかの整数とする）の出力ポートは、多心光コネクタ１０５−ａのｂ番目の光ファイバに接続され、光合波装置（ＭＵＸ）のｃ番目（ｃは１〜８のいずれかの整数とする）の入力ポートは、多心光コネクタ１０５−ａの（ｃ＋８）番目の光ファイバに接続されるとする。
【００２４】
マトリクススイッチモジュール１０３−ｄ（ｄは１〜８のいずれかの整数とする）において、マトリクススイッチのｅ番目（ｅは１〜８のいずれかの整数とする）の入力ポートは、多心光コネクタ１０５−（ｄ＋８）のｅ番目の光ファイバに接続され、マトリクススイッチのｆ番目（ｆは１〜８のいずれかの整数とする）の出力ポートは、多心光コネクタ１０５−（ｄ＋８）の（ｆ＋８）番目の光ファイバに接続されるのとする。
【００２５】
このとき、筐体１０１に予め組み込まれた光配線１０６が、多心光コネクタ１０４−ｇ（ｇは１〜８のいずれかの整数とする）のｈ番目（ｈは１〜８のいずれかの整数とする）の光ファイバと、多心光コネクタ１０４−（ｈ＋８）のｇ番目の光ファイバとを接続し、多心光コネクタ１０４−ｉ（ｉは１〜８のいずれかの整数とする）のｊ番目（ｊは９〜１６のいずれかの整数とする）の光ファイバと、多心光コネクタ１０４−ｊの（ｉ＋８）番目の光ファイバとを接続する配線とする。
【００２６】
このような光配線１０６を設けることで、従来技術として説明した光クロスコネクト装置と全く同一の光配線が実現できる。この光配線１０６の具体例を図２に示す。
【００２７】
特に、光分波・合波モジュール１０２−１〜１０２−８は全て同一の内部構造を有するため、これら光分波・合波モジュールを多心光コネクタ１０４−１〜１０４−８のいずれのコネクタに接続しても構わない。また、マトリクススイッチモジュール（ＳＷ）１０３−１〜１０３−８も全て同一の内部構造を有するため、これらマトリクススイッチモジュールを多心光コネクタ１０４−９〜１０４−１６のいずれのコネクタに接続しても構わない。
【００２８】
つまり、本発明を適用すれば、モジュールの構造を統一して、コストを削減することが可能である。
【００２９】
以上、本発明について、好適な実施形態を例示して具体的に説明してきたが、本発明の原理を適用できる多くの実施可能な形態に鑑みて、ここに記載した実施形態の事例は、単に例示に過ぎず、本発明の範囲を限定するものではない。例えば、上記の光配線は、本発明の趣旨から逸脱することなく、その構成と詳細を変更することができる。また、説明のための構成要素は、本発明の趣旨を逸脱することなく変更、補足、またはその順序を変えてもよい。このように、特許請求の範囲に記載の範囲内であれば、その構成部材等の置換、変更、追加、個数の増減、形状の設計変更等の各種変形は、全て本発明の実施形態に含まれる。
【図面の簡単な説明】
【００３０】
【図１】本発明の一実施形態の光クロスコネクト装置の構造を示す概略平面図である。
【図２】本発明の一実施形態の光クロスコネクト装置のＭ＝８，Ｎ＝８の場合の配線の具体例を示す配線図である。
【図３】従来の光クロスコネクト装置を説明する概略平面図である。
【符号の説明】
【００３１】
１０１                        光クロスコネクト装置の筐体
１０２−１〜１０２−８        光分波・合波モジュール
１０３−１〜１０３−８        マトリクススイッチモジュール
１０４−１〜１０４−１６      光クロスコネクト装置の筐体に設けられた多心光コネクタ
１０５−１〜１０５−１６      モジュールに設けられた多心光コネクタ
１０６                        光配線
１００１                      光クロスコネクト装置
１００２−１〜１００２−８    光ファイバ
１００６−１〜１００６−８    光ファイバ
１００３−１〜１００３−８    光分波装置
１００４−１〜１００４−８    マトリクススイッチ
１００５−１〜１００５−８    光合波装置
【図１】
2008177655.tif 000003
【図２】
2008177655.tif 000004
【図３】
2008177655.tif 000005